(57)【要約】      （修正有）【課題】ユーザーニーズに対応して、直接、または電子メールを介して、自由に多様な布地素材に指定された刺繍色糸により刺繍加工して、完成品とする刺繍加工店舗システムを構築し、それに必要な布地素材に刺繍データに基づいて刺繍する装置を提供する。【解決手段】漢字等データの第１データベースと、またはユーザーが描いたイラスト、メッセージなどを文字認識、あるいはパターン認識により認識して入力装置で入力した第２データベースと、ユーザー書誌事項データを付与したユーザー情報データベースと、布地素材・色種類データベースとで構成され、布地素材データと色種類データの中から指定した布地素材と指定した刺繍色糸とを検索し、刺繍範囲内に刺繍されるようにデータの拡大・縮小を行い、指定された刺繍色糸で刺繍し、ユーザー情報データベースを利用したタオルなどの布地素材を加工して完成品とする刺繍加工店舗システムと刺繍装置である。【選択図】    図１
2004275650.tif 000002
【特許請求の範囲】
【請求項１】
タオル、ハンドタオル、ハンカチ、バスタオル、バスローブなどを販売する刺繍加工店舗において、日本工業規格（ＪＩＳ）漢字コード（第一水準および第二水準）に定められた漢字、記号、絵記号、英・数字、欧文文字、ひらがな、カタカナ、ギリシャ文字、ロシア文字などのほか、タイリングパターン、ローマ字、絵文字、家紋などの紋章、点字などのデータを入力した第１データベースと、またはユーザーが描いた直筆のサイン、イラスト、絵画、メッセージなどを文字認識装置、あるいはパターン認識装置により認識して入力装置で入力した第２データベースと、第１データベース、第２データベースに蓄積されたデータにユーザー書誌事項データを付与したユーザー情報データベースと、布地素材・色種類データベースと、刺繍装置に付設され刺繍データの拡大・縮小を行うデータの拡大・縮小装置と、布地素材と刺繍色糸とを検索する布地素材・色種類選択装置と、プログラム記憶・操作装置と、第１データベース、第２データベース、ユーザー情報データベース、布地素材・色種類データベースと、それらを駆使して刺繍加工する刺繍装置とで構成され、ユーザーニーズに応じて１０種以上の布地素材データと、１０種以上の色種類データの中から指定した布地素材と指定した刺繍色糸とを布地素材・色種類選択装置で検索し、指定された布地素材を刺繍装置に装着し、指定された刺繍色糸を刺繍装置に懸架し、一方、第１データベースの中のデータを選択し、抽出したデータと、あるいは、第２データベースに蓄積されたデータに、ユーザー書誌事項データを付与して構成されるユーザー情報データベースの中のデータを、刺繍加工店舗のプログラム記憶・操作装置により必要なデータを検索し、刺繍範囲設定手段で設定された刺繍範囲内に刺繍されるようにデータの拡大・縮小を行い、刺繍装置に載置されているタオルなどの布地素材に、指定された刺繍色糸で刺繍し、初入力のデータは、ユーザー情報データベースに蓄積し、再発注のユーザーにはユーザー書誌事項データを更新または修正したユーザー情報データベースを利用することを特徴とするタオルなどの布地素材に刺繍加工して完成品とする刺繍加工店舗システム。
【請求項２】
アクセスポイントの電話番号、ユーザーＩＤ（ログインＩＤ）、パスワード、メールアドレス、メールパスワード、ＰＯＰ３サーバ（受信メールサーバ）、ＳＭＴＰサーバ（送信メールサーバ）などのパソコンユーザー情報を持つパソコンを端末とし、商用サービスのプロバイダを介して接続されるインターネットを利用し、電子メールを介してタオル、ハンドタオル、ハンカチ、バスタオル、バスローブなどの布地素材に刺繍加工して完成品とする刺繍加工店舗のユーザー情報データベースにつながり、日本工業規格（ＪＩＳ）漢字コード（第一水準および第二水準）に定められた漢字、記号、絵記号、英・数字、欧文文字、ひらがな、カタカナ、ギリシャ文字、ロシア文字などのほか、タイリングパターン、ローマ字、絵文字、家紋などの紋章、点字等のデータを入力した第１データベースと、またはユーザーが描いた直筆のサイン、イラスト、絵画、メッセージなどを文字認識、あるいはパターン認識により認識して入力装置で入力した第２データベースと、第１データベース、第２データベースに蓄積されたデータにユーザー書誌事項データを付与したユーザー情報データベースと、布地素材・色種類データベースと、刺繍装置に付設され刺繍データの拡大・縮小を行うデータの拡大・縮小装置と、布地素材と刺繍色糸とを検索する布地素材・色種類選択装置と、プログラム記憶・操作装置と、第１データベース、第２データベース、ユーザー情報データベース、布地素材・色種類データベースと、それらを駆使して刺繍加工する刺繍装置とで構成され、ユーザーニーズに応じて１０種以上の布地素材データと１０種以上の色種類データの中から指定した布地素材と指定した刺繍色糸とを布地素材・色種類選択装置で検索し、指定された布地素材を刺繍装置に載置し、指定された刺繍色糸を刺繍装置に懸架し、一方、第１データベースの中のデータを選択し、抽出したデータと、あるいは第２データベースに蓄積されたデータに、ユーザー書誌事項データを付与して構成されるユーザー情報データベースの中のデータを、刺繍加工店舗のプログラム操作装置により必要なデータを検索し、刺繍範囲設定手段で設定された刺繍範囲内に刺繍されるようにデータの拡大・縮小を行い、刺繍装置に載置されている布地素材に、指定された刺繍色糸で刺繍し、初入力のデータはユーザー情報データベースに蓄積し、再発注のユーザーにはユーザー書誌事項データを更新または修正したユーザー情報データベースを利用することを特徴とするタオルなどの布地素材に刺繍加工して完成品とする刺繍加工店舗システム。
【請求項３】
布地保持枠内に保持させた布に縫うべき刺繍をユーザー情報データベースのデータに基づきプログラム記憶・操作装置の選択手段によって選択し、指定した刺繍色糸で刺繍した文字、図形などの刺繍体の右側面および下側面に、同系統の濃色で刺繍し、文字、図形などの刺繍体を立体視できるようにしたことを特徴とするタオルなどの布地素材に刺繍加工して完成品とする刺繍加工店舗システム。
【請求項４】
指定されたタオルなどの布地素材を保持し、左右、上下に移動可能に駆動する布地保持枠を持つ布地保持手段と、布地保持手段で保持されたタオルなどの布地素材において、刺繍範囲を布地上に正確に設定する刺繍範囲設定手段と、刺繍枠内に刺繍縫いを形成すべき布上に基準線を設定する基準線設定手段とを保有し、該基準線に沿うように刺繍範囲設定手段で設定された刺繍範囲内に刺繍されるように刺繍データの拡大・縮小を行うデータの拡大・縮小装置を付設し、布地保持枠内に保持させた布に縫うべき刺繍をユーザー情報データベースのデータに基づきプログラム記憶・操作装置の選択手段によって選択し、指定した刺繍色糸で刺繍することを特徴とする刺繍装置。
【発明の詳細な説明】
【０００１】
【発明の属する技術分野】
本発明はタオル、ハンドタオル、ハンカチ、バスタオル、バスローブなどの布地素材に、ユーザーの要望（普段の家庭での使用、子供の学校での名入れ、ノベルティー、お祝返し、ギフト、冠婚葬祭のお返しなど）に対応し、直接、またはインターネットによる電子メール、郵便、ＦＡＸなどを介して、文字、サイン、イラスト、絵画、文、メッセージなどを、付加価値のサービスとして刺繍加工して完成品とする刺繍加工店舗システムと、指定された布地素材に刺繍に必要な第１データベースの中の必要データまたは第２データベースの中の必要データを指定位置に、文字、サイン、イラスト、絵画、文、メッセージなどを指定した刺繍色糸で刺繍する刺繍装置である。
【０００２】
また、本発明のタオルなどの布地素材を加工して完成品とする刺繍加工店舗システムは、タオル、ハンドタオル、ハンカチ、バスタオル、バスローブなど新素材の現物、流行情報をいちはやく小売店舗において入手でき、個人のオリジナリティを重視し、普段の家庭での使用、子供の学校での名入れ、ノベルティー、お祝返し、ギフト、冠婚葬祭のお返しなどに対応できるようにしたものである。
【０００３】
【従来の技術】
従来から一般的に知られているシステムは、基本的にタオルなどを販売する店舗で、既存の書体で、氏名やメッセージなどを、タオル、ハンドタオル、ハンカチ、バスタオル、バスローブなどにミシンで単純に刺繍するものが普通であり、ポロシャツ等にデザイン化されたワンポイントマークは、ブランド商品や差別化目的で作成されていたり、個別に創作したワンポイントマークをポロシャツ等に付ける単純なものしかなかった。
【０００４】
【発明が解決しようとする課題】
本発明の刺繍加工店舗システムとそれに用いる刺繍装置は、ユーザーのニーズに対応して、直接、またはインターネットによる電子メールなどを介して、自由に多様な布地素材に指定された刺繍色糸により付加価値のサービスとして、刺繍加工して完成品とする刺繍加工店舗システムとそれに用いる刺繍装置を構築し、布地素材の現物と，流行情報をタイムリーに提供せんとするものである。
【０００５】
【課題を解決するための手段】
本発明は、上記の目的を解決するために提案したもので、刺繍加工店舗システムを具体的に説明すると、オリジナリティを重視するユーザー３６が、タオル、ハンドタオル、ハンカチ、バスタオル、バスローブなど普段に家庭で使用するものや、子供の学校への携帯品での名前入れ、ノベルティー商品、お祝返し、ギフト商品、冠婚葬祭のお返しなどに、直接来店するか、郵便３０、ＦＡＸ３１、インターネット２８による電子メール２９などを介して、任意の商品を選択し、オリジナルなデザインにより刺繍した刺繍商品を入手できるようにし、ユーザー３６が描いた直筆のサイン、イラスト、絵画、メッセージなどの受注したデザインは、文字３やパターン４を文字認識装置５、あるいはパターン認識装置６により認識して入力装置７で入力したオリジナルなデータとして第２データベース２として蓄積され、再発注された場合には、第２データベース２は更新されて蓄積されるようになっている。
【０００６】
第１データベース１として蓄積されるデータは、日本工業規格（ＪＩＳ）漢字コード（第一水準および第二水準）に定められている漢字、記号、絵記号、英・数字、欧文文字、ひらがな、カタカナ、ギリシャ文字、ロシア文字などのほか、タイリングパターン、ローマ字、絵文字、家紋などの紋章、点字などで構成されており、漢字はＪＩＳ漢字コード第一水準に定められた漢字を主体とし、そのほか康煕辞典の２１４部類に分類された第二水準のものを予備とするものである。ひらがなは、大文字の清音として、あ〜ん、濁音、半濁音として、が、ぎ、ぐ、げ、ご、ざ、じ、す、ぜ、ぞ、だ、ぢ、づ、で、ど、ば、び、ぶ、べ、ぼ、ぱ、ぴ、ぷ、ぺ、ぽ、小文字の清音として、ぁ、ぃ、ぅ、ぇ、ぉ、っ、ゃ、ゅ、ょなどの８３種とし、カタカナは大文字の清音として、ア〜ン、濁音、半濁音としてガ、ギ、グ、ゲ、ゴ、ザ、ジ、ズ、ゼ、ゾ、ダ、ヂ、ヅ、デ、ド、バ、ビ、ブ、ベ、ボ、パ、ピ、プ、ペ、ポ、小文字の清音として、ぁ、ぃ、ぅ、ぇ、ぉ、っ、ゃ、ゅ、ょの８３種として蓄積されている・
【０００７】
ローマ字は清音あ〜んの５１種、濁音、半濁音のガ〜ポの２５種、小文字ぁ、ぃ、ぅ、ぇ、ぉなどの１５種とし、英・数字は０〜９、大文字のＡ〜Ｚ、小文字のａ〜ｚの６２種とし、絵文字は、干支、星座、動物、植物、四季、風景、日用品、スポーツ、人体、趣味、乗り物、果物、食物、飲物、マーク、天気、音符、トランプなどとし、記号は〒、（株）、括弧、丸数字、単位、学術記号など１８２と
2004275650.tif 000003
とし、タイリングパターンは４９種とし、家紋などの紋章は約２８００種のうち頻度の高い約３００種とし、点字は４６の清音、１の促音符、１の長音符、２０の濁音、５の半濁音、２１拗音、１２の拗濁音、３の半拗濁音、２８の外来音、１８の記号類、１１の数字記号、２６の英字、１１の英文記号など２０３として蓄積されている。
【０００８】
第２データベース２として蓄積されるデータは、ユーザー３６が描いた直筆のサイン、イラスト、絵画、メッセージなどの文字３やパターン４を文字認識装置５、あるいはパターン認識装置６により認識して入力装置７で入力したオリジナルなデータであり、それに、住所、氏名、年齢、性別、来店日、ＦＡＸ番号、紹介者、電子メール２９、受注品目などのユーザー書誌事項を付加してユーザー書誌事項データ８とし、ユーザー情報データベース９として蓄積され、第１データベース１と共用されるものである。
【０００９】
本発明に用いる布地素材１０としては、地糸を緊張させ、輪奈をつくるとき、パイル糸をゆるめて引き寄せてつくる特別な構造を持つパイル糸を使った織物であるタオルを中心とするが、トリコットや丸編みを採用し、トリコットは丈夫さに優れ、幅のほうに伸縮するが、たけのほうには伸縮せず、丸編みは縦横に伸縮するようになっている。
【００１０】
初めてのユーザー３６は、刺繍加工店舗３８に直接来店するか、電子メール２９、郵便３０、ＦＡＸ３１などにより布地素材・色種類選択装置１１でインド、パキスタン、中国、日本などの産地別や、厚手、薄手などの布地素材別など１０種以上の布地素材データ１２から好みの布地素材１０を検索し、一方、布地素材・色種類選択装置１１で、ブルー、マリンライト、レッド、フレンチレッド、バーミリオン、イエロー、オレンジ、グレー、グリーン、ブルーグレー、ローアンバー、オレンジ、コバルトグリーンなど１０種以上の色種類データ１３から好みの刺繍色糸１４を検索し、指定された布地素材１０と指定された刺繍色糸１４は刺繍装置１５に供給され、布地素材１０は布地保持手段１６により刺繍装置１５に保持され、刺繍範囲設定手段１７で刺繍範囲が設定され、基準線設定手段１８で基準線が設定されるようになっている。
【００１１】
ユーザー３６が刺繍商品を入手するにあたっては、直接、刺繍加工店舗３８に来店して布地素材１０、刺繍の種類、刺繍色糸１４などを選定し、製品を発注するか、または郵便３０、インターネット２８による電子メール２９、ＦＡＸ３１などで発注すれば良いもので、電子メール２９を利用するにあたっては、インターネット２８接続の窓口となるアクセスポイント２０の電話番号、プロバイダ２７加入時取得のユーザーＩＤ２１（ログインＩＤ）、パスワード２２、メールアドレス２３、メールパスワード２４、受信メールサーバのＰＯＰ３サーバ２５、送信メールサーバのＳＭＴＰサーバ２６などのパソコンユーザー情報３５は、メールのメッセージなどを書くメールソフト３３や、簡単に機能拡張が図れるプラウザ３４に設定されたパソコン１９を端末とし、商用サービスのプロバイダ２７を介して接続されるインターネット２８を利用し、本システムのタオル、ハンドタオル、ハンカチ、バスタオル、バスローブなどの布地素材１０を加工して完成品とする刺繍加工店舗のユーザー情報データベース９につながっている。
【００１２】
さらに具体的に説明すると、発注されたオーダーについては、普段の家庭での使用、子供の学校への名前入れ、ノベルティー、お祝返し、ギフト、冠婚葬祭のお返しなどに対応し、漢字、記号、英・数字、ひらがな、カタカナ、ギリシャ文字、ロシア文字、ローマ字、欧文文字、絵文字、タイリングパターン、家紋などの紋章、点字などの漢字等データを入力する第１データベース１を駆使し、第１データベース１に蓄積されたデータの中からユーザー３６が指定したデータを選択し、抽出したデータと、ユーザー３６が描いた直筆のサインをはじめ、イラスト、絵画、メッセージなどの文字３やパターン４を文字認識装置５、あるいはパターン認識装置６により認識して入力装置７で入力する第２データベース２に蓄積されたユーザー３６の創作したオリジナルな文字３やパターン４などのデータを基本にしている。
【００１３】
第１データベース１と第２データベース２に収載されたデータは、ユーザー書誌事項データ８が付与され、ユーザー情報データベース９に収載されたユーザー３６の刺繍データを、刺繍加工店舗３８のプログラム記憶・操作装置３２によって必要なデータを検索し、刺繍装置１５に載置されているタオルなどの指定された布地素材１０に、指定した刺繍色糸１４を刺繍装置１５で刺繍し、ユーザー３６に提供することにしている。
【００１４】
初入力のデータは、ユーザー書誌事項データ８のユーザー書誌事項を付与してユーザー情報データベース９に蓄積されており、再発注のユーザー３６の場合にはユーザー情報データベース９を更新または修正するもので、更新または修正されたユーザー情報データベース９を利用することを特徴としている。
【００１５】
第１データベース１の中のデータは、ユーザー３６のニーズに応じて追加し、更新することは自由で、第２データベース２についても自由であることは言うまでもないことである。
【００１６】
ユーザー３６が指定した刺繍商品を作るためには、刺繍加工店舗３８のプログラム記憶・操作装置３２により、１０種以上の布地素材データ１２が収載されている布地素材・色種類データベース３７の中から布地素材・色種類選択装置１１を介してパキスタン産で、厚手の布地素材１０とするなどの選択をし、かつ１０種以上の色種類データ１３が収載されている布地素材・色種類データベース３７の中から布地素材・色種類選択装置１１を介してマリンライト、バーミリオン、ブルーグレー、ローアンバー、フレンチレッドなどの刺繍色糸１４を選択をし、指定した布地素材１０と指定した刺繍色糸１４を刺繍装置１５に供給し、刺繍装置１５を駆動させるものである。
【００１７】
刺繍にあたっては、刺繍装置１５で刺繍するが、最も多く使われるフランス刺繍のステッチ（刺し方）としては、サテンステッチ、ブランケットステッチ、ランニング、ケーブルステッチ、フィッシュボーンステッチ、ステムステッチ、チェーンステッチ、レーゼーデージーステッチ、オリエンタルステッチ、フライステッチなどがあり、また、フランス刺繍のステッチの応用としての白糸刺繍と区限刺繍があり、自由に選択できるようになっている。
【００１８】
具体的に刺繍装置１５を駆動するには、ユーザーが指定したタオルなどの布地素材１０を布地保持枠を持つ布地保持手段１６により刺繍装置１５に保持し、左右、上下に移動可能に駆動するようになっており、布地素材１０は刺繍範囲を布地上に正確に設定する刺繍範囲設定手段１７で刺繍範囲が設定され、刺繍枠内に刺繍縫いを形成すべき布上に基準線を設定する基準線設定手段１８とを保有しているため、該基準線に沿うように刺繍範囲設定手段１７で設定された刺繍範囲内に刺繍されるようになり、布地保持枠内に保持させた布に縫うべき刺繍をユーザー情報データベースのデータをプログラム記憶・操作装置３２の選択手段によって選択し、刺繍装置１５に保持されているタオルなどの布地素材１０の指定された位置に、指定した刺繍色糸１４によってＪＩＳ漢字コードに定められた漢字だけを使っても簡単に刺繍範囲内に刺繍装置１５で刺繍されるばかりか、絵文字や記号、タイリングパターンなども自由に使えるようになっている。また、刺繍データの拡大・縮小を行うデータの拡大・縮小装置３９を付設しているため、幼児が描いた無邪気な絵文字などもデータの拡大・縮小装置３９によって拡大・縮小が刺繍範囲設定内で刺繍されるようになった。
【００１９】
またはユーザー３６が描いた直筆のサイン、イラスト、絵画、メッセージなどのうち、文字３は文字認識装置５により文字認識し、パターン４はパターン認識装置６によりパターン認識し、認識された文字３とパターン４は入力装置７を介して第２データベース２に収載され、ユーザー３６が指定した布地素材１０上に直筆のサイン、イラストなどが指定位置に刺繍装置１５で刺繍されるようになっている。
【００２０】
さらに、幼児などがラフに描いた絵模様や文字などについては、刺繍範囲設定手段１７で設定された刺繍範囲内に収まることが困難な場合が多いため、刺繍される適正な規模に拡大・縮小して刺繍するようになっている。
【００２１】
布地保持枠内に保持させた布に縫うべき刺繍をユーザー情報データベース９のデータに基づきプログラム記憶・操作装置３２の選択手段によって選択し、指定した刺繍色糸１４で刺繍した文字、図形などの刺繍体の右側面および下側面に、同系統の濃色で刺繍し、文字、図形などの刺繍体を立体視できるようにすることも自由であり、例えば文字、図形などの刺繍体をこはく色で刺繍加工した場合、刺繍体の右側面および下側面にアズキ色か、カーキ色で刺繍し、刺繍体をもえぎ色で刺繍加工した場合、刺繍体の右側面および下側面にエメラルドグリーンか青磁色で刺繍することにより、文字、図形などの刺繍体を立体視できるようになって効果的である。
【００２２】
本システムの刺繍加工店舗３８はアンテナショップとしての機能を持ち、布地素材・色種類選択装置１１でインド、パキスタン、中国、日本などの産地別や、厚手、薄手などの布地素材別など１０種以上の布地素材データ１２から好みの布地素材１０を検索し、一方、布地素材・色種類選択装置１１で、ブルー、マリンライト、レッド、フレンチレッド、バーミリオン、イエロー、オレンジ、グレー、グリーン、ブルーグレー、ローアンバー、オレンジ、コバルトグリーンなど１０種以上の色種類データ１３で、好みの色彩を選択することができ、最新の流行情報も付加されるようになっているため、直接の来店をたやすくするばかりか、フランチャイズの展開も簡単に行うことができ、インターネット２８による電子メール２９、郵便３０、ＦＡＸ３１の利用による受注も効率的に行えるようになっている。
【００２３】
【発明の効果】
本発明によれば、タオル、ハンドタオル、ハンカチ、バスタオル、バスローブなどの布地素材１１に、ユーザーの要望に対応し、文字、サイン、イラスト、絵画、メッセージなど、ＪＩＳ漢字コードに定められた漢字、８３種のひらがな、８３種のカタカナ、絵文字、記号、ギリシャ文字、ロシア文字、紋章、点字などを収載した第１データベース１と、ユーザー３６が描いた直筆のサイン、イラスト、絵画、メッセージなどの文字３やパターン４を文字認識装置５、あるいはパターン認識装置６により認識して入力装置７で入力したオリジナルなデータとしての第２データベース２と、を駆使して、ユーザーに対する付加価値のサービスとして、直接、またはアンテナショップばかりか、インターネット２８による電子メール２９や、郵便３０、ＦＡＸ３１などを介して刺繍加工を受注し、指定された布地素材１０に第１データベース１と第２データベース２とのデータを更新または修正したユーザー情報データベース９を基本に、適正な大きさに拡大したり、縮小して刺繍加工して完成品とする刺繍加工店舗３８システムとして家庭用やギフト用などに数多くのデータを駆使して独創的でオリジナリティの豊かな刺繍加工が提供できるようになった。
【００２４】
しかも、再発注のユーザー３６の場合には、ユーザー情報データベース９を更新または修正し、更新または修正されたユーザー情報データベース９を利用するばかりか、新製品やニューモードの情報を追加することもなされ、ユーザーデータを豊かにして指定位置に刺繍する刺繍加工ができるようになった。
【図面の簡単な説明】
【図１】本発明の刺繍加工店舗システムの概要図。
【符号の説明】
１：第１データベース
２：第２データベース
３：文字
４：パターン
５：文字認識装置
６：パターン認識装置
７：入力装置
８：ユーザー書誌事項データ
９：ユーザー情報データベース
１０：布地素材
１１：布地素材・色種類選択装置
１２：布地素材データ
１３：色種類データ
１４：刺繍色糸
１５：刺繍装置
１６：布地保持手段
１７：刺繍範囲設定手段
１８：基準線設定手段
１９：パソコン
２０：アクセスポイント
２１：ユーザーＩＤ
２２：パスワード
２３：メールアドレス
２４：メールパスワード
２５：ＰＯＰ３サーバ
２６：ＳＭＴＰサーバ
２７：プロバイダ
２８：インターネット
２９：電子メール
３０：郵便
３１：ＦＡＸ
３２：プログラム記憶・操作装置
３３：メールソフト
３４：プラウザ
３５：パソコンユーザー情報
３６：ユーザー
３７：布地素材・色種類データベース
３８：刺繍加工店舗
３９：データの拡大・縮小装置
【図１】
2004275650.tif 000004